(57)【要約】【課題】子機にＦＡＸ装置などを接続してデータ通信を行う場合においても正常にエコーキャンセルを実行し、高速通信を実現することのできる無線通信装置及びエコーキャンセル方法を提供する。【解決手段】子機（４）との間で無線通信を行い、子機からデータまたは音声を受信し、外部の公衆回線（２）を介して通信を行うことのできる無線通信装置（３）において、少なくともデータ通信を行う場合、通信相手との間の回線閉結前にエコーキャンセル学習動作を実行するエコーキャンセル手段（２３）を備えるものとする。【選択図】　　図２
2004023264.tif 000002
【特許請求の範囲】
【請求項１】
子機との間で無線通信を行い、前記子機からデータまたは音声を受信し、外部の公衆回線を介して通信を行うことのできる無線通信装置であって、少なくともデータ通信を行う場合、通信相手との間の回線閉結前にエコーキャンセル学習動作を実行するエコーキャンセル手段を備えたことを特徴とする無線通信装置。
【請求項２】
前記エコーキャンセル手段は、回線閉結後にはその学習動作を終了し、回線閉結前に得られた情報に基づいてエコーキャンセル処理を行うことを特徴とする請求項１記載の無線通信装置。
【請求項３】
前記エコーキャンセル手段は、所定のパルス幅を持つパルス信号を出力するホワイトノイズ発生手段を備え、呼び出し通知信号を前記子機に対して送出した後に、前記ホワイトノイズ発生手段によって生成されたパルス信号を用いてエコーキャンセル学習動作を実行することを特徴とする請求項１記載の無線通信装置。
【請求項４】
当該無線通信装置が前記子機に呼び出し通知を行った後、前記子機がアナログ信号を処理することができる状態になってから、前記エコーキャンセル手段が起動されることを特徴とする請求項１記載の無線通信装置。
【請求項５】
前記エコーキャンセル手段は、各データ通信毎に確保された通信路に対してエコーキャンセル学習動作を行うことを特徴とする請求項１記載の無線通信装置。
【請求項６】
前記無線通信装置は、前記子機との間の発呼指示情報に含まれる転送レート情報に基づいて、回線閉結前に前記エコーキャンセル手段を起動するか、または、回線閉結後に前記エコーキャンセル手段を起動するか選択する制御を行うことを特徴とする請求項１記載の無線通信装置。
【請求項７】
子機との間で無線通信を行い、前記子機からデータまたは音声を受信し、外部の公衆回線を介して通信を行うことのできる無線通信装置におけるエコーキャンセル方法であって、
少なくともデータ通信を行う場合、通信相手との間の回線閉結前にエコーキャンセル学習動作を実行することを特徴とするエコーキャンセル方法。
【請求項８】
前記エコー学習動作は回線閉結後には終了し、回線閉結前に得られた情報に基づいてエコーキャンセル処理を行うことを特徴とする請求項７記載のエコーキャンセル方法。
【請求項９】
前記無線通信装置は、所定のパルス幅を持つパルス信号を出力するホワイトノイズ発生手段を備え、
当該方法は、前記無線通信装置から前記子機に対して呼び出し通知信号が送出された後に、前記ホワイトノイズ発生手段によって生成されたパルス信号を用いてエコーキャンセル学習動作を実行することを特徴とする請求項７記載のエコーキャンセル方法。
【請求項１０】
前記無線通信装置が前記子機に呼び出し通知を行った後、前記子機がアナログ信号を処理することができる状態になってから、エコーキャンセル学習動作を実行することを特徴とする請求項７記載のエコーキャンセル方法。
【請求項１１】
各データ通信毎に確保された通信路に対してエコーキャンセル学習動作を行うことを特徴とする請求項７記載のエコーキャンセル方法。
【請求項１２】
前記子機との間の発呼指示情報に含まれる転送レート情報に基づいて、回線閉結前にエコーキャンセル学習動作を行うか、または、回線閉結後にエコーキャンセル学習動作を行うか選択する制御を行うことを特徴とする請求項７記載のエコーキャンセル方法。
【請求項１３】
外部の回線を介して音声通話及びデータ通信を行うことのできる通信システムであって、少なくともデータ通信を行う場合、通信相手との間の回線閉結前にエコーキャンセル学習動作を実行し、回線閉結後、前記エコーキャンセル学習動作によって得られた情報に基づいてエコーキャンセル処理を行うエコーキャンセル手段を備えたことを特徴とする通信システム。
【発明の詳細な説明】
【０００１】
【発明の属する技術分野】
本発明は、ＦＡＸ通信などのデータ通信が可能な通信システム、特に、子機電話との間で無線通信を行う親機電話のような無線通信装置、及びそのような無線通信装置におけるエコーキャンセル方法に関する。
【０００２】
【従来の技術】
従来、公衆回線に接続される親機電話と、この親機電話と無線を用いて通信し、親機電話を介して通話先と通話をすることができるコードレス子機電話とを有する電話システムが知られている。子機電話を使って電話をかける場合、まず親機電話との間でリンクチャネル確立要求等の無線通信のための制御手順が実行され、その後、親機電話は公衆回線を通じて相手先の呼び出し処理を行い、相手が電話に出ると（この状態を回線閉結と呼ぶ）通話が可能となる。尚、相手が電話に出たことは、通常、回線電圧の極性が反転することで検出できる。
【０００３】
このような電話システムでは、通話の際、電話システムから回線へ向かって出力される音声の一部が、回線とのインタフェースとして働くハイブリッドコイル（単にハイブリッドと呼ぶこともある）を経由して入力信号に混入したり、或いは、子機電話のスピーカから出力された相手の発した音声が子機電話のマイクによって拾われ電話システムの出力音声として出ていくといった、いわゆる“エコー”をキャンセルする処理を行っている。即ち、回線閉結後、自分の発した音声を用いてハイブリッドコイルを経由して回り込んできたエコー成分を打ち消したり、相手の発した音声を用いて子機電話を回り込んできたエコー成分を打ち消したりするためのエコーキャンセラを備えている。従来、このようなエコー成分の打ち消しを適切に行うために、エコーキャンセル処理ではエコーキャンセルを効果的に行うために必要な様々な変数（フィルター係数値など）の調整を行う“学習動作”を行っている。
【０００４】
【発明が解決しようとする課題】
しかしながら、そのような従来のエコーキャンセル方法では、ＦＡＸなどのデータ通信に対応することができない。例えば、コードレス子機電話にＦＡＸ装置を接続し、子機電話を介してＦＡＸ通信を行う場合、回線閉結後にＦＡＸ装置からＦＡＸ通信のためのＣＮＧ（コーリング・トーン）信号が送出されるが、そのような場合、従来のように回線閉結後にエコーキャンセル処理の学習を行うものでは、エコーキャンセラの係数値等が収束せず、その結果エコーキャンセルが効果的に行われなくなる。一方、ＦＡＸ装置は通常モデム備えており、回線閉結後、回線の品質や状態或いは通信相手のレベルに合わせて最適通信速度の設定などを行い通信回線を確立する（このようなモデムの調整を“トレーニング”ということもある）。そのため、上記のようにエコーキャンセルの学習が収束せずエコーキャンセルが効果的になされないと、ＦＡＸ装置は回線の品質または状態が悪いものと判断し、モデムの通信速度を低く設定するため（フォールバックという）、高速のデータ送信ができない。
【０００５】
本発明は以上のような従来技術の問題点を解決するためのものであり、本発明の主な目的は、子機にＦＡＸ装置などを接続してデータ通信を行う場合においても正常にエコーキャンセルを実行し、高速通信を実現することのできる無線通信装置及びエコーキャンセル方法を実現することである。
【０００６】
本発明の第２の目的は、音声通話を行う場合だけでなく、ＦＡＸ通信などのデータ通信を行う場合においても正常にエコーキャンセルを実行し、高速通信を実現することのできる通信システムを提供することである。
【０００７】
【課題を解決するための手段】
前記目的を達成するため本発明に基づくと、子機との間で無線通信を行い、子機からデータまたは音声を受信し、外部の公衆回線を介して通信を行うことのできる無線通信装置であって、少なくともデータ通信を行う場合、通信相手との間の回線閉結前にエコーキャンセル学習動作を実行するエコーキャンセル手段を備えたことを特徴とする無線通信装置が提供される。このように、回線閉結前にエコーキャンセル学習を実行しておくことで、回線閉結後に生ずるＣＮＧ信号等の非音声信号の影響を受けることなく、効果的なエコーキャンセル処理を回線閉結直後から実現することができ、それにより、ＦＡＸ通信のようなデータ通信を行う際にエコーキャンセルが効果的になされないことによる通信速度の低下を防ぐことができる。
【０００８】
【発明の実施の形態】
本発明の第１の態様によると、子機（４）との間で無線通信を行い、子機からデータまたは音声を受信し、外部の公衆回線（２）を介して通信を行うことのできる無線通信装置（３）であって、少なくともデータ通信を行う場合、通信相手との間の回線閉結前にエコーキャンセル学習動作を実行するエコーキャンセル手段（２３）を備えたことを特徴とする無線通信装置が提供される。このように、回線閉結前にエコーキャンセル学習を実行しておくことで、回線閉結後に生ずるＦＡＸ通信におけるＣＮＧ信号のような非音声信号の影響を受けることなく、効果的なエコーキャンセル処理を回線閉結直後から実現することができ、それにより、ＦＡＸ通信のようなデータ通信を行う際にエコーキャンセルが効果的になされないことによる通信速度の低下を防ぐことができる。
【０００９】
本発明の第２の態様による無線通信装置は、前記第１の態様に加えて、エコーキャンセル手段は、回線閉結後にはその学習動作を終了し、回線閉結前に得られた情報に基づいてエコーキャンセル処理を行うことを特徴とする。これにより、回線閉結後に生成されるＦＡＸ通信におけるＣＮＧ信号などの非音声信号による影響を受けることなく、正常なエコーキャンセル処理を行うことができる。
【００１０】
本発明の第３の態様による無線通信装置は、前記第１の態様に加えて、エコーキャンセル手段は、所定のパルス幅を持つパルス信号を出力するホワイトノイズ発生手段（３１）を備え、呼び出し通知信号を子機に対して送出した後に、ホワイトノイズ発生手段によって生成されたパルス信号を用いてエコーキャンセル学習動作を実行することを特徴とする。これにより、音声信号を用いることなく、広い周波数帯域に渡って効果的なエコーキャンセル処理を行うことができる。
【００１１】
本発明の第４の態様による無線通信装置は、前記第１の態様に加えて、当該無線通信装置が子機に呼び出し通知を行った後、子機がアナログ信号を処理することができる状態になってから（即ち、子機の音声パスがオンになってから）、エコーキャンセル手段が起動されることを特徴とする。これにより、呼び出し通知がなされる前の子機の音声パスの状態や、子機における音声パス状態の過渡変化の影響を受けることなく、実際に通信がなされる状態において効果的なエコーキャンセル処理を行うことが可能となる。
【００１２】
本発明の第５の態様による無線通信装置は、前記第１の態様に加えて、エコーキャンセル手段は、各データ通信毎に確保された通信路に対してエコーキャンセル学習動作を行うことを特徴とする。これにより、各データ通信（または各呼）に対して最適化したエコーキャンセル処理を実現することができる。
【００１３】
本発明の第６の態様による無線通信装置は、前記第１の態様に加えて、子機との間の発呼指示情報に含まれる転送レート情報に基づいて、回線閉結前にエコーキャンセル手段を起動するか、または、回線閉結後にエコーキャンセル手段を起動するか選択する制御を行うことを特徴とする。これにより、音声通話の場合には回線閉結後にエコーキャンセル手段を起動し、ＦＡＸ通信のようなデータ通信の場合には回線閉結前にエコーキャンセル手段を起動するというように、場合に応じて、適切なエコーキャンセル処理を実現することができる。
【００１４】
本発明の第７の態様によると、子機との間で無線通信を行い、子機からデータまたは音声を受信し、外部の公衆回線を介して通信を行うことのできる無線通信装置におけるエコーキャンセル方法であって、少なくともデータ通信を行う場合、通信相手との間の回線閉結前にエコーキャンセル学習動作を実行することを特徴とするエコーキャンセル方法が提供される。このように、回線閉結前にエコーキャンセル学習を実行しておくことで、回線閉結後に生ずるＦＡＸ通信におけるＣＮＧ信号のような非音声信号の影響を受けることなく、効果的なエコーキャンセル処理を回線閉結直後から実現することができ、それにより、ＦＡＸ通信のようなデータ通信を行う際にエコーキャンセルが効果的になされないことによる通信速度の低下を防ぐことができる。
【００１５】
本発明の第８の態様によるエコーキャンセル方法は、前記第７の態様に加えて、エコー学習動作は回線閉結後には終了し、回線閉結前に得られた情報に基づいてエコーキャンセル処理を行うことを特徴とする。これにより、回線閉結後に生成されるＦＡＸ通信におけるＣＮＧ信号などの非音声信号による影響を受けることなく、正常なエコーキャンセル処理を行うことができる。
【００１６】
本発明の第９の態様によるエコーキャンセル方法は、前記第７の態様に加えて、無線通信装置は、所定のパルス幅を持つパルス信号を出力するホワイトノイズ発生手段を備え、当該方法は、無線通信装置から子機に対して呼び出し通知信号が送出された後に、ホワイトノイズ発生手段によって生成されたパルス信号を用いてエコーキャンセル学習動作を実行することを特徴とする。これにより、音声信号を用いることなく、広い周波数帯域に渡って効果的なエコーキャンセル処理を行うことができる。
【００１７】
本発明の第１０の態様によるエコーキャンセル方法は、前記第７の態様に加えて、無線通信装置が子機に呼び出し通知を行った後、子機がアナログ信号を処理することができる状態になってから、エコーキャンセル学習動作を実行することを特徴とする。これにより、呼び出し通知がなされる前の子機の音声パスの状態や、子機における音声パス状態の過渡変化の影響を受けることなく、実際に通信がなされる状態において効果的なエコーキャンセル処理を行うことが可能となる。
【００１８】
本発明の第１１の態様によるエコーキャンセル方法は、前記第７の態様に加えて、各データ通信毎に確保された通信路に対してエコーキャンセル学習動作を行うことを特徴とする。これにより、各データ通信（または各呼）に対して最適化したエコーキャンセル処理を実現することができる。
【００１９】
本発明の第１２の態様によるエコーキャンセル方法は、前記第７の態様に加えて、子機との間の発呼指示情報に含まれる転送レート情報に基づいて、回線閉結前にエコーキャンセル学習動作を行うか、または、回線閉結後にエコーキャンセル学習動作を行うか選択する制御を行うことを特徴とする。これにより、音声通話の場合には回線閉結後にエコーキャンセル学習動作を行い、ＦＡＸ通信のようなデータ通信の場合には回線閉結前にエコーキャンセル学習動作を行うというように、場合に応じて、適切なエコーキャンセル処理を実現することができる。
【００２０】
本発明の第１３の態様によると、外部の回線を介して音声通話及びデータ通信を行うことのできる通信システムであって、少なくともデータ通信を行う場合、通信相手との間の回線閉結前にエコーキャンセル学習動作を実行し、回線閉結後、前記エコーキャンセル学習動作によって得られた情報に基づいてエコーキャンセル処理を行うエコーキャンセル手段を備えたことを特徴とする通信システムが提供される。このように、回線閉結前にエコーキャンセル学習を実行しておくことで、回線閉結後に生ずるＦＡＸ通信におけるＣＮＧ信号のような非音声信号の影響を受けることなく、効果的なエコーキャンセル処理を回線閉結直後から実現することができ、それにより、ＦＡＸ通信のようなデータ通信を行う際にエコーキャンセルが効果的になされないことによる通信速度の低下を防ぐことができる。
【００２１】
本発明の特徴、目的及び作用効果は、添付図面を参照しつつ好適実施例について説明することにより一層明らかとなるだろう。
【００２２】
【実施例】
以下、本発明の好適実施例について図面を参照して説明する。
【００２３】
図１は、本発明が適用される通信システムの好適実施例を示すブロック図である。図示されているように、この通信システム１は、電話回線などの回線２（交換機を含む）に接続された無線通信装置としての親機電話３と、親機電話３と無線通信する子機電話４と、子機電話４に接続可能なＦＡＸ装置５とを有している。この例では、ＦＡＸ装置５と子機電話４の間はアナログ信号による通信がなされ、子機電話４と親機電話３との間ではデジタル信号による通信がなされ、親機電話３と回線２との間はアナログ信号による通信がなされる。
【００２４】
ＦＡＸ装置５はハイブリッドコイル１０を有しており、このハイブリッドコイル１０は、子機電話４に設けられたハイブリッドコイル１１に接続され、ＦＡＸ装置５と子機電話４との間でアナログ信号による通信ができるようになっている。子機電話４はＡ／Ｄ変換器１２を有しており、ＦＡＸ装置５からのアナログ信号をデジタル信号に変換し無線制御部１４に送る。無線制御部１４は受け取ったデジタル信号をアンテナ１５を通じて無線信号にして親機電話３へと送信する。子機電話４から発せられた無線デジタル信号は、親機電話３のアンテナ２１を介して無線制御部２２に入力される。無線制御部２２は受け取ったデジタル信号をエコーキャンセラとして働くデジタル信号プロセッサ（ＤＳＰ）２３に入力する。ＤＳＰ２３から出力されたエコーキャンセル処理されたデジタル信号は、Ｄ／Ａ変換器２４によってアナログ信号に変換された後、ハイブリッドコイル２６を通じて回線２に送出される。
【００２５】
一方、回線２からのアナログ信号はハイブリッドコイル２６を介して親機電話３のＡ／Ｄ変換器２５に入力され、そこでデジタル信号に変換された後、ＤＳＰ２３に入力される。ＤＳＰ２３によりエコーキャンセル処理されたデジタル信号は無線制御部２２に送られ、アンテナ２１から無線デジタル信号として子機電話４に送られる。子機電話４では無線デジタル信号をアンテナ１５を介して受信し、無線制御部１４からＤ／Ａ変換器１３に送り、そこでアナログ信号に変換した後、ハイブリッドコイル１１を介してＦＡＸ装置５に送る。
【００２６】
このような通信装置においては、図において太い矢印で示すように、各ハイブリッドコイル１０、１１、２６において信号の回り込み（エコー）が発生する。子機電話４のハイブリッドコイル１１及びＦＡＸ装置５のハイブリッドコイル１０では、回線２からの（“下り”という）信号が回線２へと向かう（“上り”という）信号中に入り込んでエコーを生じ、親機電話３のハイブリッドコイル２６では、回線２へ出力される上り信号が回線２からの下り信号中に入り込んでエコーを生じる。このような２種類のエコーをキャンセルするため、ＤＳＰ２３は２つのデジタルエコーキャンセラ（ＥＣ）２７、２８を有している。
【００２７】
図示されているように、第１のエコーキャンセラ２７は、無線制御部２２から送られてくる上りデジタル信号に含まれるエコー成分を、Ａ／Ｄ変換器２５から第２のエコーキャンセラ２８を通って流れる下りデジタル信号を用いてキャンセルする。第２のエコーキャンセラ２８はＡ／Ｄ変換器２５から送られてくる下りデジタル信号に含まれるエコー成分を、無線制御部２２から第１のエコーキャンセラ２７を通って伝送される上りデジタル信号を用いてキャンセルする。
【００２８】
親機電話３は、通信手順を適切に制御したりするためのＣＰＵ３０を有している。またＤＳＰ２３は、後に述べる、エコーキャンセル学習のための信号ＳＧを生成する信号発生器３１を有している。ＤＳＰ２３はＣＰＵ３０の一部として具現することが可能である。尚、図１では図面を簡略化するため、通常の音声通話のためのスピーカ及びマイクロフォンを備えた受話器は示していないが、親機電話３、子機電話４のいずれもそのような受話器を有することができるのは勿論である。
【００２９】
上記のような構成を有する通信システム１において、ＦＡＸ装置５を用いてＦＡＸ通信をするときの通信手順について図２の概念図を参照しつつ、以下に説明する。
【００３０】
まず、ＦＡＸ装置５においてＤＣループが閉結されると、子機電話４はそれを検出して、ダイヤルトーン（ＤＴ）をＦＡＸ装置５に返す。そうするとＦＡＸ装置５は送信先のダイヤル（電話番号）を子機電話４に向けて発する。なお、このような制御データのやりとりは、子機電話４内のＡ／Ｄ変換器１２及びＤ／Ａ変換器１３を介することなく行うことができる。
【００３１】
続いて子機電話４は、リンクチャネル確立要求を親機電話３の無線制御部２２へと送る。親機無線制御部２２はリンクチャネル割当て信号を子機電話４へ返し、それにより子機電話４と親機無線制御部２２との間にリンクチャネルが設定される。更に、親機無線制御部２２と子機電話４との間で同期バーストを用いて同期設定がなされた後（レイヤ１）、親機電話３のＣＰＵ３０と子機電話４との間で、通信路確保のためのレイヤ２及び発呼指示のためのレイヤ３の設定がなされる。
【００３２】
レイヤ３の設定がなされると、ＣＰＵ３０はＤＣループを閉結し、それを受けて回線２はダイヤルトーン（発信音）を返す。回線２からのダイヤルトーンを検出すると、ＣＰＵ３０は発呼制御を開始し、回線２に対してダイヤル発呼を行うとともに、発呼制御を開始したことを示す呼び出し通知信号を無線制御部２２を介して子機電話４へ向けて送出する。相手先を呼び出している間、リングバックトーン（ＲＢＴ）が回線を通じて送られてくる。
【００３３】
本発明によると、子機電話４を介してＦＡＸ装置５と親機電話３（より詳細にはそのＣＰＵ３０）との間の通信路が確保された後、通信相手が応答して回線閉結がなされる前に、ＣＰＵ３０（ＤＳＰ２３）の第１のエコーキャンセラ２７におけるエコーキャンセル学習がなされる。これは図１に示した信号発生器３１からホワイトノイズに相当する所定の幅を持つパルス信号（エコーキャンセル学習信号）を第１のエコーキャンセラ２７から第２のエコーキャンセラ２８へと向かう信号経路において生成し、それがキャンセルされるように第１のエコーキャンセラ２７における係数等を調節することによりなされる。このようにホワイトノイズを用いてエコーキャンセル学習を行うことで、音声信号を用いなくとも、広い周波数帯域に渡って効果的にエコーキャンセルを行うことが可能となる。そうしてエコーキャンセル学習が終了した後、通信先が応答すると（即ち回線が閉結すると）、回線電圧の極性が反転し、これはＣＰＵ３０により検出され、無線制御部２２、子機電話４を通じてＦＡＸ装置５に伝えられる。それに応じてＦＡＸ装置５はＣＮＧ信号を出力し、モデム（図示せず）のトレーニングを行い、他のＦＡＸ送信手順を進める。尚、第２のエコーキャンセラ２８におけるエコーキャンセル学習は、通信システム１の設置時などに所定の宛先に発呼し、回線２及び／またはハイブリッドコイル２６により生じるエコーをキャンセルするようにエコーキャンセル係数等を設定することによって行うことができるが、その場合においても上記した信号発生器３１からの信号を用いることができる。
【００３４】
このように、本発明によれば、回線閉結しＦＡＸ装置５からＣＮＧ信号等が送出される前にＤＳＰ２３におけるエコーキャンセル学習を終了していることから、そのようなＣＮＧ信号等に影響されることなく適切にエコーキャンセル学習を行い、効果的にエコーキャンセルを行うことができる。これにより、良好な通信状態を確保できるため、ＦＡＸ装置５のモデムトレーニングにおいて高い伝送レートを設定することが可能となる。なお、上記したようなエコーキャンセル学習は、各ＦＡＸ通信毎に行うことが好ましい。これにより、例えば子機電話４が複数ある場合に各子機電話毎に通信路特性が変わっても、或いは、ＦＡＸ装置５を交換することで通信路特性が変わった場合にも、それに合わせてエコーキャンセルを最適化することが可能となる。
【００３５】
図３は、子機電話４における通信手順をより詳細に説明するためのフローチャートである。また、図４は親機電話３のＣＰＵ３０（ＤＳＰ２３を含む）における処理についてより詳細に説明するためのフローチャートである。
【００３６】
図３に示すように、ステップ１で子機電話４はＦＡＸ装置５においてＤＣループが閉結されたかどうかチェックし、閉結されている場合、ステップ２に進んでダイヤルトーンをＦＡＸ装置５へと送出する。閉結されていない場合は、ステップ１を繰り返す。
【００３７】
ステップ３でＦＡＸ装置５から相手先のダイヤル番号を受け取ると、ステップ４で子機電話４は親機無線制御部２２と通信し、リンクチャネルの設定、同期設定（レイヤ１）、通信路確保（レイヤ２）及び発呼指示（レイヤ３）を行い、ステップ５に進む。
【００３８】
ステップ５では、親機無線制御部２２を介して親機ＣＰＵ３０から呼び出し通知信号が送られてきたかどうかをチェックする。送られてきた場合はステップ６に進み、そうでない場合はステップ５を繰り返す。
【００３９】
ステップ６において、子機電話４はそのＡ／Ｄ変換器１２及びＤ／Ａ変換器１３を起動し、音声パスを“オン”にする。これにより子機電話４は、音声のようなアナログ信号を処理することができる状態になる。親機電話３のＤＳＰ２３における第１のエコーキャンセラ２７の学習は、このように子機電話４の音声パスをオンにし、ハイブリッドコイル１１及び／またはハイブリッドコイル１０においてエコーが発生し得る状態とした後に行うことが好ましい。これにより、音声パスをオンとする前の状態、或いは、音声パスがオフからオンに切り替わる過渡状態に影響されることなく、エコーキャンセル学習を適切に行い、正常なエコーキャンセル処理を実現することが可能となる。
【００４０】
更にステップ７において、相手先の応答があったかどうかをチェックする。相手から応答があったことが検出されると、ステップ８においてライン入力の極性を反転し、ＦＡＸ装置５に相手から応答があった（即ち、回線閉結した）ことを通知する。これによりＦＡＸ装置５はＦＡＸ送信手順を開始する。尚、ステップ１〜ステップ８に示したような子機電話における処理は、通常の音声通話においても同様に行うことができる。
【００４１】
図４を参照すると、図４のフローチャートは、ＦＡＸ装置５を用いたＦＡＸ通信または子機電話４の図示しない受話器を用いた音声通話の２つの場合の処理について親機電話３のＣＰＵ３０（ＤＳＰ２３を含む）の処理を示している。子機電話４からリンクチャネル確立要求を受け付け、レイヤ１の設定がなされた後、ステップ１０１において、ＣＰＵ３０は通信路確保要求を受け付け、上記したようなレイヤ２、３の設定等を行い、ステップ１０２に進む。ステップ１０２では、子機電話４からの発呼指示情報に含まれる転送レート情報に基づいて、通常の音声通話が求められているのか、または、ＦＡＸ通信などのデータ通信が求められているのか判定する。
【００４２】
ステップ１０２において通常の音声通話が要求されていると判定された場合、プロセスはステップ１０３に進み、ＤＣループの閉結、回線２からのダイヤルトーンの検出、ダイヤル発呼を行うとともに、ステップ１０４に進んで子機電話４に対して呼び出し通知信号を送出する。
【００４３】
ステップ１０５では、回線電圧の極性が反転したかどうかチェックし、反転が検出された場合、ステップ１０６に進んでエコーキャンセラ２７、２８を起動した後、ステップ１０７で音声通話処理を行う。このように音声通話の場合は、相手が応答して回線閉結がなされた後（即ち、回線電圧極性が反転した後）に、エコーキャンセラ２７、２８が起動される。
【００４４】
ステップ１０２においてＦＡＸ通信が要求されていると判定された場合、ステップ１１３に進み、ＤＣループの閉結、回線からのダイヤルトーンの検出、ダイヤル発呼を行うとともに、ステップ１１４に進んで子機電話４に対して呼び出し通知信号を送出する。これらステップ１１３、１１４における処理は、通常の音声通話を行うための上述したステップ１０３、１０４における処理と同様である。
【００４５】
ＦＡＸ通信を行う場合、ステップ１１５において、第１のエコーキャンセラ２７の学習を行う。このとき、上記したように子機電話４のＡ／Ｄ変換器１２及びＤ／Ａ変換器１３をオンしておく。このように、第１のエコーキャンセラ２７の学習時に音声パスをオン状態としておくことにより、効果的なエコーキャンセル処理が可能となる。更にステップ１１６において、第２のエコーキャンセラ２８を起動するとともに親機電話３のＤ／Ａ変換器２４及びＡ／Ｄ変換器２５をオンして音声パスをオン状態とする。上記したように、この実施例では、第２のエコーキャンセラ２８のエコーキャンセル学習は、システム１の設置時に予め行うことができる。
【００４６】
ステップ１１５にて第１のエコーキャンセラ２７の学習を行い、またステップ１１６にて第２のエコーキャンセラ２８を起動した後、ステップ１１７では回線極性が反転したか（即ち、相手先から応答があったかどうか）を検出し、応答が検出されたときはステップ１１８に進み、相手先から応答があり回線閉結したことを子機電話４を通じてＦＡＸ装置５へと通知する。それを受けてＦＡＸ装置５はＦＡＸ送信手順を実行する（ステップ１１９）。このように本発明によれば、ＦＡＸ装置５によるＦＡＸ送信手順実行時には、従来と異なり、エコーキャンセル学習は終了している。これにより、ＦＡＸ送信に伴う非音声信号（例えばＣＮＧ信号）によってエコーキャンセル学習が収束しないといった問題を回避し、回線閉結直後から効果的なエコーキャンセル処理を実行することが可能となる。従って、ＦＡＸ送信手順開始時において良好な通信状態を確保することができるため、フォールバックを生じることなく、良好なＦＡＸ通信を行うことが可能となる。
【００４７】
本発明を実施例に基づいて詳細に説明したが、これらの実施例はあくまでも例示であって本発明は実施例によって限定されるものではない。当業者であれば特許請求の範囲によって定められる本発明の技術的思想を逸脱することなく様々な変形若しくは変更が可能であることは言うまでもない。
【００４８】
【発明の効果】
以上説明したように、本発明によると、回線閉結前にエコーキャンセル学習を実行しておくことで、回線閉結後に生ずるＣＮＧ信号等の非音声信号の影響を受けることなく、効果的なエコーキャンセル処理を回線閉結直後から実現することができ、それにより、ＦＡＸ通信のようなデータ通信を行う際にエコーキャンセルが効果的になされないことによる通信速度の低下を防ぐことができる。
【図面の簡単な説明】
【図１】本発明が適用される通信システムの好適実施例を示すブロック図。
【図２】本発明によるエコーキャンセル方法を説明するための概念図。
【図３】子機電話における処理を説明するためのフローチャート。
【図４】親機電話のＣＰＵ／ＤＳＰにおける処理を説明するためのフローチャート。
【符号の説明】
１　通信システム
２　回線
３　親機電話
４　子機電話
５　ＦＡＸ装置
１０　ハイブリッドコイル
１１　ハイブリッドコイル
１２　Ａ／Ｄ変換器
１３　Ｄ／Ａ変換器
１４　無線制御部
１５　アンテナ
２１　アンテナ
２２　無線制御部
２３　デジタル信号プロセッサ（ＤＳＰ）
２４　Ｄ／Ａ変換器
２５　Ａ／Ｄ変換器
２６　ハイブリッドコイル
２７　第１のエコーキャンセラ
２８　第２のエコーキャンセラ
３０　ＣＰＵ
３１　信号発生器
【図１】
2004023264.tif 000003
【図２】
2004023264.tif 000004
【図３】
2004023264.tif 000005
【図４】
2004023264.tif 000006